(57)【特許請求の範囲】
【請求項１】
発信端末からの登録要求により登録用アクセスコードを生成して前記発信端末に通知し、
前記発信端末から前記登録用アクセスコードを得た着信端末からの登録要求により、前記登録要求に含まれる登録用アクセスコードに対応する発信端末情報と前記登録要求の着信端末情報を基に端末識別番号を生成して前記発信端末及び前記着信端末に通知すると共に、前記端末識別番号と前記発信端末情報と前記着信端末情報を対応させて記憶し、
前記発信端末からの発信要求により、前記発信要求に含まれる端末識別番号と前記発信要求の発信端末情報に対応する着信端末情報の着信端末に対し呼び出しを許可することを特徴とする着信規制方法。
【請求項２】
請求項１記載の着信規制方法において、
前記着信端末からの解除要求により前記解除要求に含まれる端末識別番号と着信端末情報とこれに対応する発信端末情報を削除することを特徴とする着信規制方法。
【請求項３】
発信端末からの登録要求により登録用アクセスコードを生成して前記発信端末に通知する登録用アクセスコード生成手段と、
前記発信端末から前記登録用アクセスコードを得た着信端末からの登録要求により、前記登録要求に含まれる登録用アクセスコードに対応する発信端末情報と前記登録要求の着信端末情報を基に端末識別番号を生成して前記発信端末及び前記着信端末に通知する端末識別番号生成手段と、
前記端末識別番号と前記発信端末情報と前記着信端末情報を対応させて記憶する記憶手段と、
前記発信端末からの発信要求により、前記発信要求に含まれる端末識別番号と前記発信要求の発信端末情報で前記記憶手段を検索し、対応する着信端末情報の着信端末に対し呼び出しを許可する許可手段を
有することを特徴とする識別情報管理装置。
【請求項４】
識別情報管理装置に対し登録要求を行って前記識別情報管理装置から返送された登録用アクセスコードを着信端末に与える登録用アクセスコード要求手段と、
着信端末からの登録要求により前記識別情報管理装置から送信された端末識別番号を着信端末表示名と共に記憶する記憶手段と、
前記記憶手段に記憶されている端末識別番号を用いて前記識別情報管理装置に発信要求を行う発信要求手段を
有することを特徴とする発信端末。
【発明の詳細な説明】
【技術分野】
【０００１】
本発明は、着信規制方法、識別情報管理装置、発信端末に関し、着信規制を行う着信規制方法、識別情報管理装置、発信端末に関する。
【背景技術】
【０００２】
近年、個人情報の流出が社会問題となっており、重要な個人情報である電話番号等の識別情報の拡散防止が必要となっている。【０００３】
従来から、ユーザが着信を希望しない迷惑電話の対処方法として、電話会社による着信拒否サービスや、登録した電話番号からの着信呼に対する着信拒否機能を持つ電話端末がある。【０００４】
例えば特許文献１には、通話対象の電話番号を登録する電話帳リスト及び呼出時間が閾値以下の着信呼を着信拒否対象の電話番号として登録する着信拒否リストを自携帯電話端末のＥＥＰＲＯＭ内に備え、電話帳リストに所望の電話番号を登録するとき着信拒否リストにこの電話番号が存在すれば、当該電話番号を着信拒否リストから削除することが記載されている。
【特許文献１】特開２００５−５７５１７号公報
【発明の開示】
【発明が解決しようとする課題】
【０００５】
現在の通信システムでは、不特定多数の端末から発信できる電話番号により通信を行っており、着信を許可する相手にだけ電話番号を教えたつもりでも、その相手が第三者に教える可能性があるため、着信を拒否したい第三者に自分の電話番号が知られてしまい悪用されるおそれがあるという問題があった。【０００６】
特許文献１に記載の着信拒否機能においても、着信拒否リストに登録した電話番号を通知して発信してきた場合に着信を拒否できるだけであり、第三者に自分の電話番号が知られた場合には悪用されるおそれがあるという問題があった。【０００７】
本発明は、上記の点に鑑みなされたものであり、発信端末情報や着信端末情報の拡散を防止できる着信規制方法、識別情報管理装置、発信端末を提供することを総括的な目的とする。
【課題を解決するための手段】
【０００８】
この目的を達成するため、本発明の着信規制方法は、発信端末からの登録要求により登録用アクセスコードを生成して前記発信端末に通知し、前記発信端末から前記登録用アクセスコードを得た着信端末からの登録要求により、前記登録要求に含まれる登録用アクセスコードに対応する発信端末情報と前記登録要求の着信端末情報を基に端末識別番号を生成して前記発信端末及び前記着信端末に通知すると共に、前記端末識別番号と前記発信端末情報と前記着信端末情報を対応させて記憶し、前記発信端末からの発信要求により、前記発信要求に含まれる端末識別番号と前記発信要求の発信端末情報に対応する着信端末情報の着信端末に対し呼び出しを許可する。
【発明の効果】
【０００９】
このような着信規制方法によれば、発信端末情報や着信端末情報の拡散を防止できる。
【図面の簡単な説明】
【００１０】
【図１】本発明の原理構成図である。
【図２】本発明方法を適用した移動体通信システムの一実施形態の構成図である。
【図３】本発明の着信規制サービス登録シーケンスである。
【図４】本発明の発信シーケンスである。
【図５】本発明の着信規制サービス解除シーケンスである。
【図６】着信規制サービス登録の様子を示す図である。
【図７】着信規制サービス登録の様子を示す図である。
【図８】着信規制サービス登録の様子を示す図である。
【図９】着信規制サービス登録の様子を示す図である。
【図１０】発信の様子を示す図である。
【図１１】発信の様子を示す図である。
【図１２】着信規制サービス解除の様子を示す図である。
【図１３】着信規制サービス解除の様子を示す図である。
【符号の説明】
【００１１】
１０  通信制御システム
１１  通信制御部
２０  識別情報管理装置
２１  登録用アクセスコード生成制御部
２２  端末識別番号生成制御部
２３  発信可否判定部
２４  端末情報記憶制御部
２５  記憶装置
３０  番号受信側端末（発信端末）
３１  登録用アクセスコード要求制御部
３２  発信要求制御部
３３  端末識別番号記憶制御部
３４  記憶装置
４０  着信番号通知側端末（着信端末）
４１  着信許可制御部
４２  登録解除制御部
４３  端末識別番号記憶制御部
４４  記憶装置
【発明を実施するための最良の形態】
【００１２】
以下、図面に基づいて本発明の実施形態について説明する。【００１３】
図１は、本発明の原理構成図を示す。同図中、本発明システムは、通信制御システム１０、識別情報管理装置２０、番号受信側端末（発信端末）３０、着信番号通知側端末（着信端末）４０から構成される。【００１４】
通信制御システム１０は、通信制御部１１を有しており、通信制御システム１０の通信制御部１１は、発信端末３０及び着信端末４０からの各種要求により識別情報管理装置２０と情報のやり取りを行い、発信の可否制御、着信規制サービスの登録と解除の通信制御を行う。【００１５】
識別情報管理装置２０は、登録用アクセスコード生成制御部２１と端末識別番号生成制御部２２と発信可否判定部２３と端末情報記憶制御部２４と記憶装置２５を有している。【００１６】
登録用アクセスコード生成制御部２１は、着信規制サービスの登録を開始する際に使用する登録用アクセスコードの生成を制御する。端末識別番号生成制御部２２は、発信端末情報及び着信端末情報と一意に結びつく端末識別番号の生成を制御する。【００１７】
発信可否判定部２３は、記憶装置２５に登録された情報を、発信端末情報と端末識別番号をキーとして検索し着信端末情報が得られた場合にのみ発信可とし、着信端末情報を通信制御システム１０に通知する。【００１８】
端末情報記憶制御部２４は、着信規制サービス登録時または解除時に、記憶装置２５に発信端末情報、着信端末情報、端末識別番号、登録用アクセスコードを登録または削除する制御を行う。記憶装置２５は、発信端末情報、着信端末情報、端末識別番号、登録用アクセスコードを記憶する。【００１９】
番号受信側端末（発信端末）３０は、登録用アクセスコード要求制御部３１と発信要求制御部３２と端末識別番号記憶制御部３３と記憶装置３４を有している。【００２０】
登録用アクセスコード要求制御部３１は、識別情報管理装置２０に着信端末情報を登録し端末識別番号を取得するのに必要となる登録用アクセスコードの発行要求の制御を行う。発信要求制御部３２は、通常の発信と異なり端末識別番号を用いた発信要求を行うための制御を行う。【００２１】
端末識別番号記憶制御部３３は、着信規制サービス登録要求が受理され着信端末情報が登録された際に通知される端末識別番号を通信相手の着信端末表示名と共に記憶装置３４に設定し、また、着信規制サービス解除時に記憶装置３４から着信端末表示名と端末識別番号を削除する制御を行う。記憶装置３４は、着信端末表示名と端末識別番号を記憶する。【００２２】
着信番号通知側端末（着信端末）４０は、着信許可制御部４１と登録解除制御部４２と端末識別番号記憶制御部４３と記憶装置４４を有している。【００２３】
着信許可制御部４１は、発信者より取得した登録用アクセスコードに対応した着信端末情報として自端末の端末情報を識別情報管理装置２０に登録するため、登録用アクセスコードと着信端末情報の送信の制御を行う。【００２４】
登録解除制御部４２は、識別情報管理装置２０の記憶装置２５に登録されている端末識別番号に対応した自端末の端末情報を削除するため、端末識別番号ごとに着信規制サービスの登録解除要求を送信する制御を行う。【００２５】
端末識別番号記憶制御部４３は、着信規制サービス登録要求が受理され着信端末情報が登録された際に通知される端末識別番号を発信端末表示名と共に記憶装置４４に設定し、また、着信規制サービス解除時に記憶装置４４より発信端末表示名と端末識別番号を削除する制御を行う。記憶装置４４は、発信端末表示名と端末識別番号を記憶する。【００２６】
<移動体通信システムの構成図>
図２は、本発明方法を適用した移動体通信システムの一実施形態の構成図を示す。同図中、交換局５０は、ＩＭＴ−２０００ではＭＳＣであり、無線基地局５１，５２を介して移動端末５３，５４，５５が無線接続される。この交換局５０内に通信制御システム１０が設けられている。【００２７】
また、交換局５０はコアネットワーク５８に接続されている。コアネットワーク５８には他の交換局５９等が接続されると共に、識別情報管理装置２０が接続されている。交換局５９には固定端末６１が接続されている。上記の移動端末５３，５４，５５及び固定端末６１が発信端末３０または着信端末４０になる。【００２８】
<動作シーケンス>
図３に本発明の着信規制サービス登録シーケンスを示し、図４に本発明の発信シーケンスを示し、図５に本発明の着信規制サービス解除シーケンスを示す。【００２９】
<着信規制サービス登録シーケンス>
図３の着信規制サービス登録シーケンスにおいて、発信端末３０（例えば移動端末５３であり、電話番号等の識別情報＝Ａ１）から通信制御システム１０を介し識別情報管理装置２０に対して着信端末情報を登録するためのアクセスコードの発行要求を行う（ステップＳ１）。この際、図６に示すように、発信端末３０で「登録用アクセスコードを取得しますか？」等の表示を行う。【００３０】
これにより、識別情報管理装置２０では登録用アクセスコード生成制御部２１は着信規制サービスの登録を開始する際に使用する登録用アクセスコード（＝Ｄ１）を生成して、発信端末情報（＝Ａ１）と登録用アクセスコード（＝Ｄ１）を記憶装置２５に記憶すると共に、登録用アクセスコード（＝Ｄ１）を発信端末３０に通知する。この様子を図６に示す。【００３１】
次に、発信端末３０は識別情報管理装置２０から通知された登録用アクセスコード（＝Ｄ１）を取得して記憶装置３４に記憶すると共に、口頭または赤外線通信等の通信により、着信を許容する着信端末４０（例えば移動端末５４であり、電話番号等の識別情報＝Ｂ１）に登録用アクセスコード（＝Ｄ１）を通知する（ステップＳ２）。この様子を図７に示す。【００３２】
次に、着信端末４０は着信端末情報（＝Ｂ１）とステップＳ２で取得した登録用アクセスコード（＝Ｄ１）を用い、識別情報管理装置２０にアクセスする（ステップＳ３）。この際、図８に示すように、発信端末３０で「サービス登録を許可するアクセスコードは［Ｄ１］です」等の表示を行う。【００３３】
これにより、識別情報管理装置２０において、端末識別番号生成制御部２２は記憶装置２５から登録用アクセスコード（＝Ｄ１）に対応して読み出される発信端末情報（＝Ａ１）と、着信端末情報（＝Ｂ１）を用いて端末識別番号（＝Ｃ１）を決定し、端末情報記憶制御部２４は登録用アクセスコード（＝Ｄ１）に対応した発信端末情報（＝Ａ１）に関連づけて着信端末情報（＝Ｂ１）及び端末識別番号（＝Ｃ１）を記憶装置２５に記憶する。この様子を図８に示す。【００３４】
その後、端末識別番号（＝Ｃ１）に対応した登録用アクセスコード（＝Ｄ１）を記憶装置２５から削除し、端末識別番号（＝Ｃ１）を発信端末３０及び着信端末に通知する（ステップＳ４）。発信端末３０及び着信端末４０では、通知された端末識別番号（＝Ｃ１）を通信相手の名前と共に記憶装置３４，４４に記憶する。この際、図９に示すように、発信端末３０に「登録完了。着信者を登録しますか［ＢＢさん］」等の表示を行い、着信端末４０に「登録完了。発信者を登録しますか［ＡＡさん］」等の表示を行う。【００３５】
なお、端末識別番号を記憶装置２５に記憶したのち記憶装置２５から登録用アクセスコードを削除することで、登録用アクセスコードが第三者に知られたとしても、この第三者が端末識別番号を得ることはできない。【００３６】
また、発信端末からの登録要求に対して複数の登録用アクセスコードを発行し、複数の登録用アクセスコードを複数の着信端末に通知し、各着信端末からの登録要求により複数の端末識別番号を記憶装置２５に記憶させ、複数の着信端末から１つの発信端末に着信許可を与えるようにしても良い。【００３７】
<発信シーケンス>
図４の登録シーケンスにおいて、発信端末３０は、先に記憶装置３４に記憶した着信端末４０の端末識別番号（＝Ｃ１）を使用して着信端末４０への発信処理を行う。通信システム１０の通信制御部１１は、識別情報管理装置２０に上記発信の問い合せを行う（ステップＳ１１）。このとき、図１０に示すように、発信端末３０には着信端末４０のユーザ名「ＢＢさん」を表示する。【００３８】
識別情報管理装置２０の発信可否判定部２３は端末識別番号（＝Ｃ１）と発信端末情報（＝Ａ１）で記憶装置２５を検索して、これに対応した着信端末情報（＝Ｂ１）を取得する。着信端末情報（＝Ｂ１）が取得できれば着信端末４０との通信を許可し、着信端末情報（＝Ｂ１）が取得できなければ着信端末４０への通信を不可とする（ステップＳ１２）。【００３９】
通信不可の場合は通信システム１０を介して発信端末３０に着信規制サービスは不可であることを通知する。通信許可の場合は着信端末情報（＝Ｂ１）を通信システム１０に通知し、通信制御部１１は着信端末４０に対する呼び出しを行う。このとき、図１１に示すように、着信端末４０には発信端末３０のユーザ名「ＡＡさん」を表示する。そして、着信端末４０が呼び出しに応ずれば通信制御部１１は発信端末３０と着信端末４０の回線を接続する。【００４０】
なお、上記実施形態では、識別情報管理装置２０で発信可否判定を行っているが、通信制御部１１にて、識別情報管理装置２０から端末識別番号（＝Ｃ１）と発信端末情報（＝Ａ１）に対応した着信端末情報（＝Ｂ１）を取得し、通信制御部１１で発信可否判定を行っても良い。【００４１】
<着信規制サービス解除シーケンス>
図５の着信規制サービス解除シーケンスにおいて、着信端末４０は、記憶装置４４に記憶した端末識別番号（＝Ｃ１）と自端末の着信端末情報（＝Ｂ１）を付加情報として、着信規制サービス解除要求を送信する。通信制御システム１０は着信規制サービス解除要求を受けて、識別情報管理装置２０に着信規制サービス解除要求を送信する（ステップＳ２１）。このとき、図１２に示すように、着信端末４０に端末識別番号（＝Ｃ１）に対応する着信端末表示名を示す「サービス登録を解除する相手は［ＡＡさん］です」等の表示を行う。【００４２】
識別情報管理装置２０の端末情報記憶制御部２４は、端末識別番号（＝Ｃ１）と着信端末情報（＝Ｂ１）に対応した情報、すなわち端末識別番号（＝Ｃ１）と着信端末情報（＝Ｂ１）と発信端末情報（＝Ａ１）を記憶装置２５から削除することで着信規制サービスが解除される。【００４３】
識別情報管理装置２０は解除された旨を、通信制御システム１０を介して着信端末４０に通知し、解除通知を受信した着信端末４０は記憶装置４４から端末識別番号（＝Ｃ１）の削除を行う（ステップＳ２２）。このとき、図１３に示すように、着信端末４０に「ＡＡさんを登録解除しました」等の表示を行う。【００４４】
このようにして、電話番号等の識別番号を相手に教えることなく通信を行うことが可能になり、相手に電話番号を教える必要がないため電話番号の拡散を防止できる。また、端末識別番号が第三者に拡散したとしても、第三者は端末識別番号を使用しても発信を行うことができないため、着信を拒否したい第三者からの着信を確実に防止できる。【００４５】
なお、登録用アクセスコード生成制御部２１が請求項記載の登録用アクセスコード生成手段に相当し、端末識別番号生成制御部２２が端末識別番号生成手段に相当し、発信可否判定部２３が許可手段に相当し、記憶装置２５，３４，４４が記憶手段に相当し、登録用アクセスコード要求制御部３１が登録用アクセスコード要求手段に相当し、着信許可制御部４１が着信許可要求手段に相当し、発信要求制御部３２が発信要求手段に相当し、端末情報記憶制御部２４が削除手段に相当し、登録解除制御部４２が解除要求手段に相当する。
【図１】
0004465022.tif 000002
【図２】
0004465022.tif 000003
【図３】
0004465022.tif 000004
【図４】
0004465022.tif 000005
【図５】
0004465022.tif 000006
【図６】
0004465022.tif 000007
【図７】
0004465022.tif 000008
【図８】
0004465022.tif 000009
【図９】
0004465022.tif 000010
【図１０】
0004465022.tif 000011
【図１１】
0004465022.tif 000012
【図１２】
0004465022.tif 000013
【図１３】
0004465022.tif 000014